(57)【要約】【課題】  従来、光ディスクレコーダーでＴＶ番組を録画した後において、使用者の手作業により行われていた録画番組のタイトルインデックス作成作業を不要にすること。【解決手段】  ＴＶ番組の録画が開始、即ちＤＶＤドライブが駆動されてＤＶＤへの録画番組情報の記録が開始されると同時に、印刷ヘッドへの通電が行われ、それによって印刷ヘッドによるＤＶＤへの録画番組のタイトル印字が開始される。このタイトル印字が行われている間、フォーマット変換されたビデオ番組情報に含まれる録画番組のタイトル情報に基づいて、印刷ヘッドへの通電パターンが制御される。そして、ＤＶＤへの録画番組のタイトル印字が終了すると、印刷ヘッドへの通電が停止される。【選択図】  図５
2006331513.tif 000002
【特許請求の範囲】
【請求項１】
スピンドルモーター及び光ピックアップを有し、ＴＶ番組が録画される際に、スピンドルモーターにより光ディスクを高速回転させながら光ピックアップから光ディスクの情報記録エリアにレーザービームを照射して当該録画されるＴＶ番組に関するデジタルデータをピックアップの形で記録するための光ディスクドライブと、
この光ディスクドライブに挿入された上記光ディスクの非情報記録エリアに上記録画番組のタイトルを印字するための印刷ヘッドと、
上記光ディスクドライブによる上記光ディスクへの上記デジタルデータの記録が開始されると同時に、上記印刷ヘッドを作動させるヘッド制御手段と、を備えていることを特徴とする光ディスクレコーダー。
【請求項２】
上記ＴＶ番組が録画されるときに、このＴＶ番組に関するデジタルデータを所定の規格に準拠したフォーマットに変換して当該録画番組のタイトルをつけたビデオ管理情報とするためのフォーマット変換手段をさらに備え、
上記光ディスクドライブは、上記光ディスクの情報記録エリアに上記フォーマット変換手段でのフォーマット変換により生成された上記ビデオ管理情報を記録し、
上記ヘッド制御手段は、上記ビデオ管理情報に含まれた上記録画番組のタイトル情報に基づいて、上記印刷ヘッドによる上記光ディスクの非情報記録エリアへのタイトル印字を実行させることを特徴とする請求項１に記載の光ディスクレコーダー。
【請求項３】
上記ＴＶ番組が録画されるときに、このＴＶ番組に関するデジタルデータを所定の規格に準拠したフォーマットに変換して当該録画ＴＶ番組のタイトルをつけたビデオ管理情報とするためのフォーマット変換手段と、
上記印刷ヘッドを所定の方向に走査させるためのヘッド走査手段と、をさらに備え、
上記光ディスクドライブは、上記光ディスクの情報記録エリアに上記フォーマット変換手段でのフォーマット変換により生成された上記ビデオ管理情報を記録し、
上記ヘッド制御手段は、上記印刷ヘッドによるタイトル印字を実行する際に、上記ビデオ管理情報に含まれた上記録画番組のタイトル情報に基づいて上記ヘッド走査手段を制御し、当該印刷ヘッドを上記光ディスクの非情報記録エリア上で走査させることを特徴とする請求項１に記載の光ディスクレコーダー。
【請求項４】
スピンドルモーター及び光ピックアップを有し、ＴＶ番組が録画される際に、スピンドルモーターにより光ディスクを高速回転させながら光ピックアップから光ディスクの情報記録エリアにレーザービームを照射して当該録画されるＴＶ番組に関するデジタルデータをピックアップの形で記録するための光ディスクドライブと、
この光ディスクドライブに挿入された上記光ディスクの非情報記録エリアに上記録画番組のタイトルを印字するための印刷ヘッドと、
上記光ディスクドライブによる上記光ディスクへの上記デジタルデータの記録が終了すると同時に、上記印刷ヘッドを作動させるヘッド制御手段と、を備えていることを特徴とする光ディスクレコーダー。
【請求項５】
上記ＴＶ番組が録画されるときに、このＴＶ番組に関するデジタルデータを所定の規格に準拠したフォーマットに変換して当該録画番組のタイトルをつけたビデオ管理情報とするためのフォーマット変換手段と、
このフォーマット変換手段によりフォーマット変換された上記ビデオ管理情報に含まれる上記録画番組のタイトル情報を一旦蓄積するためのビデオ管理情報蓄積手段と、
上記印刷ヘッドを所定の方向に走査させるためのヘッド走査手段と、をさらに備え、
上記光ディスクドライブは、上記光ディスクの情報記録エリアに上記フォーマット変換手段でのフォーマット変換により生成された上記ビデオ管理情報を記録し、
上記ヘッド制御手段は、上記印刷ヘッドによるタイトル印字を実行する際に、上記ビデオ管理情報蓄積手段により一旦蓄積された上記録画番組のタイトル情報に基づいて上記ヘッド走査手段を制御し、当該印刷ヘッドを上記光ディスクの非情報記録エリア上で走査させることを特徴とする請求項４に記載の光ディスクレコーダー。
【発明の詳細な説明】
【技術分野】
【０００１】
本発明は、ＴＶ番組の録画及びこの録画番組の再生が可能な光ディスクレコーダーに関する。
【背景技術】
【０００２】
周知のように、光ディスクレコーダーの代表としては、ＤＶＤレコーダーを挙げることができる。
【０００３】
ＤＶＤレコーダーでは、デジタル記録による高画質化、及びデジタル放送と同じＭＰＥＧ２技術が使われ、ＭＰＥＧ２エンコーダーの高性能化などが図られ、それによってＴＶ番組を放送画質と同じレベルで録画できる。加えて、ＤＶＤレコーダーは、頭出しが簡単にでき、録画もスムーズといった使い勝手の良さも持っている。
【０００４】
実際にＤＶＤレコーダーを使うとその便利さに驚かされる。具体的には、デジタル記録なので画質、録音がいいのは当たり前で、現在では、標準画質（ＳＤ）録画でもハイビジョンに肉薄する画質が楽しめる。
【０００５】
ところで、ＤＶＤは、長時間記録ができるといっても、ＨＤＤの容量を超えた記録はできない。上記ＤＶＤレコーダーには、自動的に古い映像を書き換えてしまうレコーダーと、「書き換えますか」と指示されるレコーダーと、容量が一杯になった場合に録画がストップしてしまうレコーダーとがある。
【０００６】
そこで、例えば、特許文献１、特許文献２、特許文献３、特許文献４、特許文献５及び特許文献６などにより、ＤＶＤドライブ及びＨＤＤの両者を内蔵し、録画番組の整理や編集を手軽に行うことを可能としたハイブリッドタイプのＤＶＤレコーダーが種々提案されている。
【０００７】
【特許文献１】特開２００３−２２４８１３号公報
【特許文献２】特開２００４−１５３５８７号公報
【特許文献３】特開２００４−１５９２２５号公報
【特許文献４】特開２００４−２５３０５２号公報
【特許文献５】特開２００４−２５３０５２号公報
【特許文献６】特開２００４−３２６８８４号公報
【発明の開示】
【発明が解決しようとする課題】
【０００８】
上記ハイブリッド機を含むＤＶＤレコーダーでは、ＤＶＤに録画番組に関する情報が記録されるが、この録画番組が記録されたＤＶＤをコレクションするに当たっては、ＤＶＤを収納するケースやＤＶＤの非情報記録エリアに、筆記具で当該録画番組のタイトルを直接記載したり、当該録画番組のタイトルを印刷したシールを貼ったりされる。
【０００９】
ところが、ＤＶＤコレクションに伴う、上記の録画番組のタイトルインデックス作成作業は、非常に煩雑で面倒なものとなっているのが実情である。
【００１０】
本発明は、上記の実情に鑑みなされたもので、ＴＶ番組の録画開始と同時又は録画終了と同時に録画番組のタイトルが光ディスクに自動的に印字され、それによって使用者の手作業による録画番組のタイトルインデックス作成作業を不要とする光ディスクレコーダー１の提供を目的とする。
【課題を解決するための手段】
【００１１】
上記目的を達成するため、本発明者は、光ディスクへの録画番組の記録開始と同時又は記録終了と同時に当該光ディスクの非情報記録エリアに録画番組のタイトルを印字するための印刷ヘッドを光ディスクドライブに関連させた状態で内蔵すればよいのではないかと着想した。
【００１２】
かかる着想に基づく具体的な発明は、以下の通りである。
【００１３】
第１の局面から観た発明に係る光ディスクレコーダーは、スピンドルモーター及び光ピックアップを有し、ＴＶ番組が録画される際に、スピンドルモーターにより光ディスクを高速回転させながら光ピックアップから光ディスクの情報記録エリアにレーザービームを照射して当該録画されるＴＶ番組に関するデジタルデータをピックアップの形で記録するための光ディスクドライブと、この光ディスクドライブに挿入された上記光ディスクの非情報記録エリアに上記録画番組のタイトルを印字するための印刷ヘッドと、上記光ディスクドライブによる上記光ディスクへの上記デジタルデータの記録が開始されると同時に、上記印刷ヘッドを作動させるヘッド制御手段と、を備えている。
【００１４】
ある態様では、上記第１の局面から観た発明に係る光ディスクレコーダーは、上記ＴＶ番組が録画されるときに、このＴＶ番組に関するデジタルデータを所定の規格に準拠したフォーマットに変換して当該録画番組のタイトルをつけたビデオ管理情報とするためのフォーマット変換手段をさらに備え、上記光ディスクドライブは、上記光ディスクの情報記録エリアに上記フォーマット変換手段でのフォーマット変換により生成された上記ビデオ管理情報を記録し、上記ヘッド制御手段は、上記ビデオ管理情報に含まれた上記録画番組のタイトル情報に基づいて、上記印刷ヘッドによる上記光ディスクの非情報記録エリアへのタイトル印字を実行させる。
【００１５】
他の態様では、上記第１の局面から観た発明に係る光ディスクレコーダーは、上記ＴＶ番組が録画されるときに、このＴＶ番組に関するデジタルデータを所定の規格に準拠したフォーマットに変換して当該録画番組のタイトルをつけたビデオ管理情報とするためのフォーマット変換手段と、上記印刷ヘッドを所定の方向に走査させるためのヘッド走査手段と、をさらに備え、上記光ディスクドライブは、上記光ディスクの情報記録エリアに上記フォーマット変換手段でのフォーマット変換により生成された上記ビデオ管理情報を記録し、上記ヘッド制御手段は、上記印刷ヘッドによるタイトル印字を実行する際に、上記ビデオ管理情報に含まれた上記録画番組のタイトル情報に基づいて上記ヘッド走査手段を制御し、当該印刷ヘッドを上記光ディスクの非情報記録エリア上で走査させる。
【００１６】
第２の局面から観た発明に係る光ディスクレコーダーは、スピンドルモーター及び光ピックアップを有し、ＴＶ番組が録画される際に、スピンドルモーターにより光ディスクを高速回転させながら光ピックアップから光ディスクの情報記録エリアにレーザービームを照射して当該録画される番組に関するデジタルデータをピックアップの形で記録するための光ディスクドライブと、この光ディスクドライブに挿入された上記光ディスクの非情報記録エリアに上記録画されるＴＶ番組のタイトルを印字するための印刷ヘッドと、上記光ディスクドライブによる上記光ディスクへの上記デジタルデータの記録が終了すると同時に、上記印刷ヘッドを作動させるヘッド制御手段と、を備えている。
【００１７】
上記第２の局面から観た発明に係る光ディスクレコーダーは、上記ＴＶ番組が録画されるときに、このＴＶ番組に関するデジタルデータを所定の規格に準拠したフォーマットに変換して当該録画番組のタイトルをつけたビデオ管理情報とするためのフォーマット変換手段と、このフォーマット変換手段によりフォーマット変換された上記ビデオ管理情報に含まれる上記録画番組のタイトル情報を一旦蓄積するためのビデオ管理情報蓄積手段と、上記印刷ヘッドを所定の方向に走査させるためのヘッド走査手段と、をさらに備え、上記光ディスクドライブは、上記光ディスクの情報記録エリアに上記フォーマット変換手段でのフォーマット変換により生成された上記ビデオ管理情報を記録し、上記ヘッド制御手段は、上記印刷ヘッドによるタイトル印字を実行する際に、上記ビデオ管理情報蓄積手段により一旦蓄積された上記録画番組のタイトル情報に基づいて上記ヘッド走査手段を制御し、当該印刷ヘッドを上記光ディスクの非情報記録エリア上で走査させる。
【発明の効果】
【００１８】
本発明によると、光ディスクの情報記録エリアへの録画番組情報の記録開始又は記録終了と同時に、印刷ヘッドによる当該光ディスクの非情報記録エリアへの録画番組のタイトル印字が実行される。換言すると、ＴＶ番組の録画開始と同時又は録画終了と同時に録画番組のタイトルが光ディスクに自動的に印字される。その結果、使用者の手作業によって行われていた当該録画番組のタイトルインデックス作成作業が不要となる。
【発明を実施するための最良の形態】
【００１９】
以下、本発明の実施の形態について添付図面に基づき詳細に説明する。
【００２０】
＜実施の形態１＞
１．光ディスクレコーダー１の全体構成
図１を参照して、本実施の形態１に係る光ディスクレコーダー１は、ＴＶ番組の録画及びこの録画番組の再生が可能なように構成されており、メインＭＰＵ２、ワークメモリー３、フラッシュＲＯＭ４、チューナー５、ラインセレクター６、オーディオＡＤコンバーター（以下、「オーディオＡＤＣ」という）７、ビデオ信号処理部８、ＡＶエンコード部９、ＡＶデコード部１０、タイマーＭＰＵ１１、ディスプレイＭＰＵ１２、ディスプレイ１３、ストリームコントロール部１４、ブリッジ回路１５、ＤＶＤドライブ１６、ＨＤＤ１７、印刷ヘッド１８及び印刷ヘッドコントローラー１９などを備えている。すなわち、本光ディスクレコーダー１は、ＤＶＤドライブ１６及びＨＤＤ１７の両者を備えたハイブリッド機である。
【００２１】
メインＭＰＵ２は、光ディスクレコーダー１全体の制御を司るものであって、データバスを介してフラッシュＲＯＭ４及びワークメモリー３の両者が接続されている。
【００２２】
ラインセレクター６には、入力端子及びチューナー５が接続されている。他方、チューナー５は、タイマーＭＰＵ１１と互いにインターフェイスをとっている。このタイマーＭＰＵ１１は、チューナー５の動作の制御を司るものであって、ディスプレイＭＰＵ１２とも互いにインターフェイスをとっている。それゆえ、タイマーＭＰＵ１１及びディスプレイＭＰＵ１２の両者は、ディスプレイ１３の動作を制御することになる。
【００２３】
ディスプレイ１３としては、例えば、液晶ディスプレイやプラズマディスプレイなどの薄型表示装置が採用されている。
【００２４】
ビデオ信号処理部８は、入力されたビデオ信号に所定の処理を施すためのものであって、第１のビデオデコーダー８１、３ＹＣＤＮＲ８２、ＥＤＯ８３及びフレーム同期器８４を備えている。３ＹＣＤＮＲ８２には、ＥＤＯ８３が接続され、他方フレーム同期器８４には、第１のＳＤＲＡＭ２０が接続されている。
【００２５】
ＡＶエンコード部９は、ＴＶ番組を録画する際にＡＶ信号をエンコードするためのものであって、オーディオエンコーダー９１及びＭＰＥＧ２エンコーダー９２を有している。ＭＰＥＧ２エンコーダー９２には、第２のＳＤＲＡＭ２１が接続されている。
【００２６】
ＡＶデコード部１０は、録画番組をディスプレイ１３上に再生する際にＡＶ信号をデコードするためのものであって、ＭＰＥＧデコーダー１０１、オーディオＤＡコンバーター（以下、「オーディオＤＡＣ」という）１０２、第２のビデオデコーダー１０３及びグラフィック回路１０４を有している。ＭＰＥＧ２エンコーダー９２には、第３のＳＤＲＡＭ２２が接続され、他方グラフィック回路１０４には、第４のＳＤＲＡＭ２３が接続されている。
【００２７】
ストリームコントロール部１４は、録画・再生時にストリームデータを制御するためのものであって、ＡＴＡＰＩコントローラー１４１、コピープロテクター１４２及びＣＰＲＭ１４３を有している。ＡＴＡＰＩコントローラーには、第５のＳＤＲＡＭ２４が接続されている。
【００２８】
ＡＶエンコード部９とストリームコントロール部１４とは、ブリッジ回路１５を介して接続されている。
【００２９】
上記のラインセレクター６から出力されるオーディオ信号は、オーディオＡＤＣ７に入力される。オーディオＡＤＣ７は、入力されたオーディオ信号をＡＤ変換して出力する。このオーディオＡＤＣ７から出力されるＡＤ変換されたオーディオ信号は、ＡＶエンコード部９内のオーディオエンコーダー９１に入力される。オーディオエンコーダー９１は、入力されたオーディオ信号をエンコードし、同エンコード部９内のＭＰＥＧ２エンコーダー９２に出力する。他方、上記のラインセレクター６から出力されるビデオ信号は、ビデオ信号処理部８内の３ＹＣＤＮＲ８２に入力される。３ＹＣＤＮＲ８２から出力されるビデオ信号は、第１のビデオデコーダー８１に入力される。第１のビデオデコーダー８１は、入力されたビデオ信号をデコードして出力する。この第１のビデオデコーダー８１から出力されるデコード化されたビデオ信号は、フレーム同期器８４に入力される。フレーム同期器８４は、入力されたデューディングビデオ信号を同期処理しフレーム信号として出力する。このフレーム同期器８４から出力されるフレーム信号は、ＡＶエンコード部９内のＭＰＥＧ２エンコーダー９２に入力される。
【００３０】
上記のＡＶエンコード部９内のＭＰＥＧ２エンコーダー９２は、入力された信号をエンコードする。このエンコードにより、ＭＰＥＧストリームデータが生成される。ＭＰＥＧ２エンコーダー９２で生成されたＭＰＥＧストリームデータは、ブリッジ回路１５を介して、ストリームコントロール部１４内のＡＴＡＰＩコントローラー１４１に出力される。このＡＴＡＰＩコントローラー１４１は、ＭＰＥＧ２ストリームデータを、同ストリームコントロール部１４内のＣＰＲＭ１４３を経由してＤＶＤドライブ１６に出力したり、又は同ストリームコントロール部１４内のコピープロテクター１４２を経由してＨＤＤ１７に出力したりする。
【００３１】
ＤＶＤドライブ１６は、ＴＶ番組の録画時に、ＤＶＤ２５の情報記録エリアＲＡ（図２（Ａ）参照）に対してＭＰＥＧストリームデータを記録したり、録画番組の再生時に、ＤＶＤ２５の情報記録エリアＲＡに記録されているＭＰＥＧストリームデータを読み出したりする。他方、ＨＤＤ１７は、ＴＶ番組の録画時に、ハードディスクに対してＭＰＥＧストリームデータを記録したり、録画番組の再生時に、ハードディスクに記録されているＭＰＥＧストリームデータを読み出したりする。
【００３２】
上記のＤＶＤ２５又はハードディスクから読み出されたＭＰＥＧストリームデータは、上記のストリームコントロール部１４内のＡＴＡＰＩコントローラー１４１を介して、上記のＡＶデコード部１０内のＭＰＥＧデコーダー１０１に出力される。ＭＰＥＧデコーダー１０１は、上記ＭＰＥＧストリームデータをデコードし、このデコード化されたＭＰＥＧストリームデータを同デコード部１０内のオーディオＤＡＣ１０２及びグラフィック回路１０４の両者に出力する。オーディオＤＡＣ１０２は、デコード化されたＭＰＥＧストリームデータに含まれるオーディオ信号をＤＡ変換して出力する。他方、グラフィック回路１０４は、デコード化されたＭＰＥＧストリームデータに含まれるビデオ信号に対して所定のグラフィック処理を施して出力する。このグラフィック回路１０４から出力されるグラフィック処理されたビデオ信号は、第２のビデオデコーダー１０３に入力される。第２のビデオデコーダー１０３は、入力されたビデオ信号をデコードして出力する。
【００３３】
印刷ヘッド１８は、ＤＶＤドライブ１６内に挿入されたＤＶＤ２５の非情報記録エリアＲＡ（図２（Ｂ）参照）に録画されるＴＶ番組のタイトルをインクジェット方式又は熱転写方式にて印字するためのものであって、インクカートリッジ又はインクリボンが着脱自在に装着されている。
【００３４】
印刷ヘッドコントローラー１９は、印刷ヘッド１８の作動を制御するための制御装置である。この印刷ヘッドコントローラー１９には、メインＭＰＵ２からタイトル印字コマンドが供給される。このタイトル印字コマンドが与えられると、印刷ヘッドコントローラー１９は、ＭＰＥＧ２エンコーダー９２で生成されたＭＰＥＧストリームデータに含まれる録画番組のタイトルデータに基づいて、印刷ヘッド１８への通電を制御する。
【００３５】
２．ＤＶＤの構成
図２（Ａ）及び図２（Ｂ）を参照して、ＤＶＤ２５は、ＤＶＤ−ＲＡＭ、ＤＶＤ−ＲＷやＤＶＤ−Ｒなどの片面記録タイプのデータの書き換えが可能な光ディスクである。具体的には、このＤＶＤ２５では、その一方の面２５１にのみにデータの再書き込みが可能な情報記録エリアＲＡを有し、他方の面２５２が非情報記録エリアＲＡとされている。したがって、本実施の形態１では、ＤＶＤ２５の非情報記録エリアＲＡとしての他方の面２５２に録画されるＴＶ番組のタイトルが印刷ヘッド１８により印字される。なお、図２（Ａ）中、参照符合ＥＡはエンボスエリアであって、このエンボスエリアＥＡの外周に上記の再書き込み可能な情報記録エリアＲＡが形成されている。因みに、非情報記録エリアＲＡを含むＤＶＤ２５の他方の面２５２の内周縁部及び外周縁部を除く全領域に、録画されるＴＶ番組のタイトルが印字される。シートを貼り付けても構わない。
【００３６】
３．ＤＶＤドライブの構成
図３を参照して、ＤＶＤドライブ１６は、スピンドルモーター１６１、光ピックアップ１６２、フロントエンドプロセッサー（以下、「ＦＥＰ」という）１０３、サーボコントローラー１６４、ＤＳＰ１６５及びドライブシステムコントローラー１６６を備えており、ＴＶ番組が録画される際に、スピンドルモーター１６１により同ドライブ１６内に挿入されたＤＶＤ２５を高速回転させながら光ピックアップ１６２からＤＶＤ２５の一方の面２５１の情報記録エリアＲＡにレーザービームを照射して当該録画されるＴＶ番組に関するデジタルデータをピックアップの形で記録する。
【００３７】
光ピックアップ１６２は、上述したように、ＤＶＤ２５にレーザービームを照射するが、この際に、ＤＶＤ２５からの反射光を検出する。
【００３８】
スピンドルモーター１６１は、スピンドル軸を有しており、このスピンドル軸にＤＶＤドライブ１６内に挿入されたＤＶＤ２５のボス孔が嵌まり込む。
【００３９】
ＦＥＰ１６３は、光ピックアップ１６２の出力にアナログ演算やフィルタリングなどの処理を施し、かつＤＶＤ２５のメディアタイプを表すディスク判別信号を光ピックアップ１６２に供給する。
【００４０】
サーボコントローラー１６４は、スピンドルモーター１６１のサーボ制御に加えて、光ピックアップ１６２のフォーカスサーボ制御、トラッキングサポート制御及びレーザーパワー制御をも司る。
【００４１】
ＤＳＰ１６５は、誤り訂正処理や信号再生処理などのデジタル信号処理を行う。他方、ドライブシステムコントローラー１６６は、ＤＶＤドライブ１６全体の制御を司る。
【００４２】
３．動作
以下では、本光ディスクレコーダー１の録画時の動作が予約録画情報に基づき実行されるものとして説明する。
【００４３】
タイマーＭＰＵ１１は、予め設定された予約録画情報に基づいて、チューナー５の動作を制御し、同チューナー５に予約録画の対象となるチャンネル及びＴＶ番組を選択させる。これに伴い、ラインセレクター６から録画が予約されたＴＶ番組のチャンネルデータが出力される。ＡＶエンコード部９内のオーディオエンコーダー９１及びＭＰＥＧ２エンコーダー９２の両者は、ラインセレクター６から出力されたチャンネルのＴＶ番組のデータをＤＶＤ−Video規格に準拠したフォーマットに変換する。すなわち、ＡＶエンコード部９は、図４に示すように、録画されるＴＶ番組のタイトル、そのチャンネル番号、その録画日、その録画開始時間及びその番組の実データから構成されるビデオ管理情報にフォーマット変換する。さらに、ＡＶエンコード部９は、ビデオ管理情報の再生を制御する再生制御情報を生成する。
【００４４】
特に、ＤＶＤ２５への記録が選択されている場合には、ＤＶＤドライブ１６は、同ドライブ１６内に挿入されたＤＶＤ２５に対して、上記の録画が予約されたチャンネルのＴＶ番組に関するデータを記録する。具体的には、ＤＶＤドライブ１６は、上記の録画されるＴＶ番組のタイトル、そのチャンネル番号、その録画日、その録画開始時間及びその番組の実データから成るビデオ管理情報と、このビデオ管理情報の再生を制御する上記の再生制御情報とを記録する。
【００４５】
具体的には、ＤＶＤドライブ１６では、スピンドルモーター１６１によりＤＶＤ２５を高速回転させながら光ピックアップ１６２からレーザービームを当該ＤＶＤ２５の一方の面２５１の情報記録エリアＲＡに照射して、上記のビデオ管理情報及びその再生制御情報が記録される。
【００４６】
上記のＴＶ番組の録画が開始、即ち、ＤＶＤドライブ１６が駆動されて上記のＤＶＤ２５の一方の面２５１の情報記録エリアＲＡへの情報の記録が開始されると同時に、印刷ヘッドコントローラー１９は、図５に示すように、印刷ヘッド１８への通電を行う。これにより、印刷ヘッド１８によるＤＶＤ２５の他方の面２５２の非情報記録エリアＮＲＡへの録画番組のタイトル印字が開始される。このタイトル印字が行われている間、印刷ヘッドコントローラー１９は、上記ＡＶエンコード部９でフォーマット変換されたビデオ番組情報に含まれる録画番組のタイトル情報に基づいて、印刷ヘッド１８への通電パターンを制御する。そして、上記ＤＶＤ２５への録画番組のタイトル印字が終了すると、印刷ヘッドコントローラー１９は、印刷ヘッド１８への通電を停止する。
【００４７】
４．作用・効果
本実施の形態１によると、ＤＶＤ２５の一方の面２５１の情報記録エリアＲＡへの録画番組情報の記録開始と同時に、同ＤＶＤ２５の他方の面２５２の非情報記録エリアＲＡに当該録画番組のタイトルが自動的に印字される。その結果、従来では、使用者の手作業によって行われていた録画番組のタイトルインデックス作成印字が不要となる。
【００４８】
＜実施の形態２＞
図６〜図８を参照して、本実施の形態２に係る光ディスクレコーダー１の特徴は、印刷ヘッド１８をＤＶＤ２５の半径方向（Ｘ軸方向）に沿って往復走査させるためのヘッド走査機構５０を備えている点、及びＴＶ番組の録画開始と同時に、印刷ヘッド１８によりＤＶＤ２５の他方の面２５２の非情報記録エリアＮＲＡへの録画番組のタイトルを印字を行う際に、印刷ヘッドコントローラー１９が、ヘッド走査機構５０を制御して、当該印刷ヘッド１８を当該ＤＶＤ２５の他方の面２５２上で上記Ｘ軸方向に沿って走査させる点にあり、その他の構成は実施の形態１と同様である。
【００４９】
上記のヘッド走査機構５０は、図７（Ａ）及び図７（Ｂ）に示すように、キャリッジ５１、ボール軸５２及びモーター５３などから構成されている。
【００５０】
キャリッジ５１は、印刷ヘッド１８をＤＶＤ２５の他方の面２５２に向けて吊り下げ担持するためのものであって、ＤＶＤ２５の半径方向（Ｘ軸方向）に沿って往復移動可能なように、ボール軸５２に螺合されている。
【００５１】
ボール軸５２は、ＤＶＤ２５の半径方向（Ｘ軸方向）に沿って延びており、その先端部をＤＶＤ２５の径方向外方に向けた状態で配置されている。このボール軸５２の先端部には、キャリッジ５１の移動を規制するためのストッパー５４が一体形成されている。他方、ボール軸５２の基端部は、カップリング５５を介して、モーター５３の出力軸と一体回転可能に結合されている。なお、ストッパー５４は、正面から視た形状がボール軸５２の軸部と同心の円形であり、その径寸法はボール軸５２の軸部の径寸法より大に設定されている。
【００５２】
モーター５３は、正逆回転可能なＡＣサーボモーターであって、ＤＶＤ２５を挟んでスピンドルモーター１６１とほぼ対向するように、ＤＶＤドライブ１６の上壁面にＬ字アングル５６を介して固定されている。
【００５３】
ＴＶ番組の録画が開始、即ちＤＶＤドライブ１６が駆動されてＤＶＤ２５の一方の面２５１の情報記録エリアＲＡへの上記のビデオ管理情報及びその再生制御情報の記録が開始されると同時に、印刷ヘッドコントローラー１９は、印刷ヘッド１８への通電を行い、ＤＶＤ２５の他方の面２５２の非情報記録エリアＮＲＡへのタイトル印字を開始させる。録画番組のタイトルがＤＶＤ２５に印字されている間、印刷ヘッドコントローラー１９は、ＡＶエンコード部９でフォーマット変換されたビデオ管理情報に含まれる録画番組のタイトル情報に基づいて、ヘッド走査機構５０のモーター５３を正転させたり逆転させたりする。これにより、印刷ヘッド１８は、ＤＶＤ２５の他方の面２５２の非情報記録エリアＮＲＡ上において、キャリッジ５１と共にＤＶＤ２５の半径方向（Ｘ軸方向）に沿って往復移動する。上記のＤＶＤ２５へのタイトル印字が終了すると、印刷ヘッドコントローラー１９は、印刷ヘッド１８への通電を停止すると共に、モーター５３の駆動を停止させる。なお、印刷ヘッド１８は、ＴＶ番組の録画が終了するまでの所定のタイミングで、印刷ヘッドコントローラー１９により所定のホームポジションに戻される。
【００５４】
上記のように、本実施の形態２では、ＤＶＤ２５の一方の面２５１の情報記録エリアＲＡに録画番組情報の記録が開始されると同時に、印刷ヘッド１８への通電が開始されると共に、印刷ヘッド１８がＤＶＤ２５の半径方向（Ｘ軸方向）に沿って走査され、それによってＤＶＤ２５の他方の面２５２の非情報記録エリアＮＲＡへの録画番組のタイトル印字が自動的に行われるので、実施の形態１と同様の効果を奏する。
【００５５】
＜実施の形態３＞
図９〜図１１を参照して、本実施の形態３の光ディスクレコーダー１の特徴は、ＴＶ番組の録画が終了すると同時に、印刷ヘッド１８によるＤＶＤ２５の他方の面２５２の非情報記録エリアＮＲＡへの録画番組のタイトル印字が行われる点にあり、その他の構成は実施の形態１と同様である。
【００５６】
それゆえ、本光ディスクレコーダー１では、図９に示すように、ＡＶエンコード部９でフォーマット変換されたビデオ管理情報を一時的に蓄積しておくためのバッファーメモリー３０が備えられている。このバッファーメモリー３０に一時蓄積されたビデオ管理情報に含まれる録画番組のタイトル情報は、ＤＶＤ２５への録画番組に関する情報の記録が終了すると同時に印刷ヘッドコントローラー１９により読み出され、上記の印刷ヘッド１８によるタイトル印字実行時に利用される。
【００５７】
加えて、本光ディスクレコーダー１では、図１０（Ａ）及び図１０（Ｂ）に示すように、ＤＶＤ２５への録画番組に関する情報の記録終了と同時に当該録画番組のタイトル印字が印刷ヘッド１８により実行される際に、当該印刷ヘッド１８を時計回り方向Ｒに回転走査させるためのヘッド走査機構６０も備えられている。
【００５８】
ヘッド走査機構６０は、回転アーム６１及びモーター６２などから構成されている。
【００５９】
回転アーム６１は、ＤＶＤ２５の半径方向に沿って延びる長手の部材であって、その先端部をＤＶＤ２５の径方向外方向に向けて配置されている。回転アーム６１の先端部には、ベースプレート６３を介して印刷ヘッド１８がＤＶＤ２５の他方の面２５２に向けて吊り下げ担持されている。他方、回転アーム６１の基端部は、モーター６２の出力軸に嵌め込まれている。
【００６０】
モーター６２は、上記アーム６１を回転させるための駆動源であって、このモーター６２としては、正逆転可能なＡＣサーボモーターが採用されている。モーター５３は、ＤＶＤ２５を挟んでスピンドルモーター１６１と対向するように、ＤＶＤドライブ１６の上壁面にＬ字アングル６４を介して固定されている。
【００６１】
ＴＶ番組の録画が終了、即ちＤＶＤ２５の一方の面２５１の情報記録エリアＲＡへのビデオ管理情報及びその再生制御情報の記録が終了すると、図１１に示すように、ＤＶＤドライブ１６の駆動が停止される。これと同時に、印刷ヘッドコントローラー１９は、印刷ヘッド１８への通電を行い、当該印刷ヘッド１８によるＤＶＤ２５へのタイトル印字を開始させる。このＤＶＤ２５の他方の面２５２の非情報記録エリアＮＲＡへの録画番組のタイトルが印字されている間、印刷ヘッドコントローラー１９は、バッファーメモリー３０に蓄積されている、上記のＡＶエンコード部９でフォーマッド変換されたビデオ管理情報から録画番組のタイトル情報を読み出し、この読み出した録画番組のタイトル情報に基づいて、印刷ヘッド１８への通電パターンを制御する。これと並行して、印刷ヘッドコントローラー１９は、上記のバッファーメモリー３０から読み出したビデオ管理情報に含まれる録画番組のタイトル情報に基づいて、ヘッド走査機構６０のモーター６２の駆動を制御する。そうすると、印刷ヘッド１８は、ＤＶＤ２５の他方の面２５２の非情報記録エリアＮＲＡ上において、所定角度の範囲を以って時計回り方向Ｒにアーム６１と共に回転する。そして、上記のＤＶＤ２５への録画番組のタイトル印字が終了すると、印刷ヘッドコントローラー１９は、印刷ヘッド１８への通電を停止すると共に、モーター６２の駆動を停止する。
【００６２】
上記のように、本実施の形態３では、ＴＶ番組の録画終了と同時に録画番組のタイトルがＤＶＤ２５に自動的に印字される。その結果、従来、使用者の手作業により行われていた録画番組のタイトルインデックス作成作業は、不要となる。
【００６３】
＜実施の形態４＞
図１２〜図１７を参照して、本実施の形態４に係る光ディスクレコーダー１の特徴は、印刷ヘッド１８をＤＶＤ２５の半径方向に沿うＸ軸方向及びこのＸ軸方向と直交するＹ軸方向に沿って往復走査させるためのヘッド走査機構７０が備えられている点、並びにＴＶ番組の録画終了と同時に印刷ヘッド１８によるＤＶＤ２５への録画番組のタイトル印字を実行する際に、印刷ヘッドコントローラー１９が、ヘッド走査機構７０を制御して、当該印刷ヘッド１８を上記Ｘ軸方向及びＹ軸方向に沿って走査させる点にあり、その他の構成は実施の形態３と同様である。
【００６４】
ヘッド走査機構７０は、図１３〜図１５に示すように、キャリッジ７１、第１のボール軸７２、Ｘ軸モーター７３、ブロック７４、第２のボール軸７５及びＹ軸モーター７６などから構成されている。
【００６５】
キャリッジ７１は、印刷ヘッド１８をＤＶＤ２５の他方の面２５２に向けて吊り下げ担持するためのものであって、ＤＶＤ２５の半径方向（Ｘ軸方向）に沿って往復移動可能なように、第１のボール軸７２に螺合されている。
【００６６】
第１のボール軸７２は、ＤＶＤ２５の半径方向（Ｘ軸方向）に沿って延びており、その先端部をＤＶＤ２５の径方向外方に向けた状態で基端部側がブロックの下部に挿通されて支持されている。第１のボール軸７２の先端部には、キャリッジ７１の移動を規制するためのストッパー７７Ｘが一体形成されている。他方、第１のボール軸５２の基端部は、カップリング７８Ｘを介して、Ｘ軸モーター７３の出力軸に一体回転可能に結合されている。なお、ストッパー７７Ｘは、正面から視た形状が第１のボール軸７２の軸部と同心の円形であり、その径寸法は第１のボール軸７２の軸部の径寸法よりも大に設定されている。
【００６７】
Ｘ軸モーター７３は、正逆転可能なＡＣサーボモーターであって、ＤＶＤドライブ１６の後壁面にＬ字アングル７９Ｘを介して固定されている。
【００６８】
ブロック７４は、上記印刷ヘッド１８を担持したキャリッジ７１、第１のボール軸７２及びＸ軸モーター７３を１ユニットとして担持するためのものであって、上記のＤＶＤ２５の半径方向に沿うＸ軸方向と直交とするＹ軸方向に沿って往復移動可能なように、第２のボール軸７５に螺合されている。
【００６９】
第２のボール軸７５は、上記のＤＶＤ２５の半径方向に沿うＸ軸方向と直交するＹ軸方向に沿って延びており、その先端部をＤＶＤ２５の上記Ｙ軸方向外方に向けた状態で基端部側がブロック７４の上部に挿通されて支持されている。第２のボール軸７５の先端部には、ブロック７４の移動を規制するためのストッパー７７Ｙが一体形成されている。他方、第２のボール軸７５の基端部は、カップリング７８Ｙを介して、Ｙ軸モーター７６の出力軸と一体回転可能に結合されている。なお、ストッパー７７Ｙは、正面から視た形状が第２のボール軸７５の軸部と同心の円形であり、その径寸法は第２のボール軸７５の軸部の径寸法よりも大に設定されている。
【００７０】
Ｙ軸モーター７６は、正逆転可能なＡＣサーボモーターであって、ＤＶＤドライブ１６の上壁面にＬ字アングル７９Ｙを介して固定されている。
【００７１】
ＴＶ番組の録画が終了、即ちＤＶＤ２５の一方の面２５１の情報記録エリアＲＡへの上記のビデオ管理情報及びその再生制御情報の記録が終了するに伴い、図１６に示すように、ＤＶＤドライブ１６の駆動が停止されると同時に、印刷ヘッドコントローラー１９は、バッファーメモリー３０に蓄積されているビデオ管理情報から録画したＴＶ番組のタイトル情報を読み出し、この読み出した録画番組のタイトル情報に基づいて、印刷ヘッド１８への通電を行い、ＤＶＤ２５へのタイトル印字を開始させる。このＤＶＤ２５の他方の面２５２の非情報記録エリアＮＲＡへの録画番組のタイトル印字が行われている間、印刷ヘッドコントローラー１９は、上記のＡＶエンコード部９でフォーマット変換されたビデオ管理情報に含まれる録画番組のタイトル情報に基づいて、ヘッド走査機構７０へのＸ軸モーター７３の正転を挟んで、同走査機構７０のＹ軸モーター７６の正転及び逆転を交互に繰り返す。その結果、印刷ヘッド１８は、図１７に示すように、ＤＶＤ２５の他方の面２５２上において、当該ＤＶＤ２５の半径方向に沿ってジグザグ状に走査される。そして、上記の録画したＴＶ番組のタイトルのＤＶＤ２５への印字が終了すると、印刷ヘッドコントローラー１９は、印刷ヘッド１８への通電を停止すると共に、Ｘ軸モーター７３及びＹ軸モーター７６の両者の駆動を停止させる。
【００７２】
したがって、本実施の形態４によると、実施の形態３と同様の効果を奏する。
【００７３】
なお、本発明は上記実施の形態１〜実施の形態４に限定されるものではない。例えば、上記実施の形態１〜実施の形態４においては、ＴＶ番組の録画開始又は録画終了と同時に、録画番組のタイトルが片面タイプのＤＶＤ２５の他方の面２５２の非情報記録エリアＮＲＡに自動的に印字される例について記載したが、ＴＶ番組の録画開始又は録画終了と同時に、録画番組のタイトルが両面タイプのＤＶＤ２５の非情報記録エリアＮＲＡに自動的に印字される構成としても良い。その他、本明細書に添付した特許請求の範囲内での種々の設計変更及び修正を加え得ることは勿論である。
【産業上の利用可能性】
【００７４】
本発明では、ＴＶ番組の録画開始と同時又は録画終了と同時に録画番組のタイトルが光ディスクに自動的に印字され、それによって使用者の手作業による録画番組のタイトルインデックス作成作業を不要とするゆえ、ＴＶ番組の録画及びこの録画番組の再生が可能な光ディスクレコーダーとして有用である。
【図面の簡単な説明】
【００７５】
【図１】本発明の実施の形態１に係る光ディスクレコーダーの構成を示すブロック図である。
【図２】ＤＶＤの構成を示す図であって、同図（Ａ）はＤＶＤを一方の面から視た図、同図（Ｂ）はＤＶＤを他方の面から視た図である。
【図３】ＤＶＤドライブの構成を示すブロック図である。
【図４】ビデオ管理情報の構成を図解的に示す図である。
【図５】同光ディスクレコーダーにおける印刷ヘッドの通電タイミングを示すチャートである。
【図６】本発明の実施の形態２に係る光ディスクレコーダーの構成を示すブロック図である。
【図７】ヘッド走査機構の構成を示す図であって、同図（Ａ）は平面図、同図（Ｂ）は同図（Ａ）のＡ−Ａ線に沿う断面図である。
【図８】同光ディスクレコーダーにおける印刷ヘッドの通電及び走査のタイミングを示すチャートである。
【図９】本発明の実施の形態３に係る光ディスクレコーダーの構成を示すブロック図である。
【図１０】ヘッド走査機構の構成を示す図であって、同図（Ａ）は平面図、同図（Ｂ）は同図（Ａ）のＢ−Ｂ線に沿う断面図である。
【図１１】同光ディスクレコーダーにおける印刷ヘッドの通電及び走査のタイミングを示すチャートである。
【図１２】本発明の実施の形態４に係る光ディスクレコーダーの構成を示すブロック図である。
【図１３】ヘッド走査機構の平面図である。
【図１４】図１３の矢印Ｃ方向から視たヘッド走査機構の側面図である。
【図１５】図１３の矢印Ｄ方向から視たヘッド走査機構の側面図である。
【図１６】同光ディスクレコーダーにおける印刷ヘッドの通電及び走査のタイミングを示すチャートである。
【図１７】印刷ヘッドの走査軌跡を示す図である。
【符号の説明】
【００７６】
１  光ディスクレコーダー
７  オーディオＡＤＣ
８  ビデオ信号処理部
８１  ビデオデコーダー
８２  ３ＹＣＤＮＲ
８３  ＥＤＯ
９  ＡＶエンコード部
９１  オーディオエンコーダー
９２  ＭＰＥＧ２エンコーダー
１０  ＡＶデコード部
１０１  ＭＰＥＧデコーダー
１０２  オーディオＤＡＣ
１０３  ビデオデコーダー
１０４  グラフィック回路
１４  ストリームコントロール部
１４１  ＡＴＡＰＩコントローラー
１４２  コピープロテクター
１４３  ＣＰＲＭ
１６  ＤＶＤドライブ
１６１  スピードルモーター
１６２  光ピックアップ
１８  印刷ヘッド
１９  印刷ヘッドコントローラー
２５  ＤＶＤ
２５１  一方の面
２５２  他方の面
ＲＡ  情報記録エリア
ＮＲＡ  非情報記録エリア
３０  バッファーメモリー
５０，６０，７０  ヘッド走査機構
【図１】
2006331513.tif 000003
【図２】
2006331513.tif 000004
【図３】
2006331513.tif 000005
【図４】
2006331513.tif 000006
【図５】
2006331513.tif 000007
【図６】
2006331513.tif 000008
【図７】
2006331513.tif 000009
【図８】
2006331513.tif 000010
【図９】
2006331513.tif 000011
【図１０】
2006331513.tif 000012
【図１１】
2006331513.tif 000013
【図１２】
2006331513.tif 000014
【図１３】
2006331513.tif 000015
【図１４】
2006331513.tif 000016
【図１５】
2006331513.tif 000017
【図１６】
2006331513.tif 000018
【図１７】
2006331513.tif 000019